(57)【要約】【課題】本発明は従来の半幅帯又は中幅帯帯といった比較的帯幅の狭い帯を利用してその帯幅よりも大きなお太鼓が裁断することなく一本の帯から得られ、糸留めを解くことにより色々な形状のお太鼓を形成することが出来る迅速飾り帯を提供することにある。【解決手段】一端部側に形成される手先を含む手先部分と、他端部に位置するたれと、該たれと隣接したベース部形成の長さを備えたベース部形成部と、残余の長さで形成される胴部とからなる半幅帯又は中幅帯でベース部形成部の帯部に、帯幅方向に対し４５度乃至その近傍角度に折り返して形成される折り返し部を一辺とし、他の三辺も該一辺と同様に帯幅方向に対し４５度乃至その近傍角度に折り返して形成される、帯幅の長さより大きな矩形ないし略矩形状のベース部を形成する。【選択図】  図３９
2008174883.tif 000002
【特許請求の範囲】
【請求項１】
一端部側に形成される手先を含む手先部分と、他端部に位置するたれと、該たれと隣接したベース部形成の長さを備えたベース部形成部と、残余の長さで形成される胴部とからなる半幅帯又は中幅帯であって、
前記ベース部形成部の帯部に、帯幅方向に対し４５度乃至その近傍角度に折り返して形成される折り返し部を一辺とし、他の三辺も該一辺と同様に帯幅方向に対し４５度乃至その近傍角度に折り返して形成される、帯幅の長さより大きな矩形ないし略矩形状のベース部を形成し、該ベース部はその中心に帯の折り返しによって形成される貫通穴を備え、かつ前記胴部は胴先で折り返して２枚重ねの二つ折り胴部を形成し、該二つ折り胴部の表側の一端部寄りに前記ベース部を形成するとともに、該二つ折り胴部は着用者の体に馴染むように、矩形ないし略矩形状ベース部の下側の辺に対し、傾斜して取り付け、さらに前記二つ折り胴部の裏面両端下部に体に巻いて留める紐を取付けるとともに前記矩形ないし略矩形状ベース部の裏側の両端上部に体に巻いて留める紐を取付けることを特徴とする迅速飾り帯。
【請求項２】
請求項１において、ベース部の貫通穴を通して該ベース部の表側にたれを用いて花形状等の立体的飾り部を形成して糸留めしたことを特徴とする請求項１記載の迅速飾り帯。
【請求項３】
請求項１又は２において、ベース部の貫通穴を通して該ベース部の表側にたれ及び手先を用いて花形状等の立体的飾り部を形成して糸留めしたことを特徴とする請求項１又は２記載の迅速飾り帯。
【請求項４】
前記ベース部の裏側に、たれを用いて該ベース部の左右からはみ出る蝶や花形状等の立体的飾り部を形成するとともに該立体的飾り部の背後に二つ折り胴部の一端部側を重ねて糸留めしたことを特徴とする請求項１、２又は３記載の迅速飾り帯。
【請求項５】
前記二つ折り胴部のうち、お太鼓の構成要素であるベース部相当部位の二つ折り胴部相当部位に糸縫いによる補正ポケットを形成し、該補正ポケットはお太鼓を膨らませるためにタオル等の充填物の装填が可能であることを特徴とする請求項１、２、３又は４記載の迅速飾り帯である。
【発明の詳細な説明】
【技術分野】
【０００１】
本発明は女性用の着物に着用する迅速飾り帯に関し、半幅帯又は中幅帯といった比較的帯幅の狭い帯を利用してその帯幅よりも大きなお太鼓が裁断することなく一本の帯から得られ、糸留めを解くことにより色々な形状のお太鼓を形成することが出来る迅速飾り帯に関する。
【背景技術】
【０００２】
従来、半巾帯を利用してお太鼓を形成する発明として、胴回部、飾り部、包帯部の３部で構成した半巾帯であって、着用者の胴部に周回状に装着する胴回部と、着用者の後部側に装着する飾り部及び飾り部を巻き包む包帯部とを別体で構成した半巾帯において、該胴回部は着用者の胴部に装着可能な帯
胴体の両端部に縫着された結び紐とで構成し、該包帯 部の片端側の両コーナ部には、飾り部を包んだ後に着用者の胴部に装着するために結び紐を縫着し構成したことを特徴とする簡易半巾帯がある。
【特許文献１】特開２００６−８９８９５特開公報（特許請求の範囲、詳細な説明、図）
【０００３】
上記従来の発明においては、次のような効果を奏する。すなわち、（１）胴回部を装着し、引き続き飾り部を着用者の後部側に装着することにより補助者を要することなく着用者自身で帯結びが至極簡単に行える。（２）飾り部の形が自由に整形できる。（３）包帯部の形が着用者の好みに応じて自由にできる。（４）胴回部、包帯部とも着用者の前面で紐結びできる。（５）胴回部、飾り部、包帯部とも使用後の整理、保存が容易にできる。
【発明の開示】
【発明が解決しようとする課題】
【０００４】
しかしながら上記従来の発明では、着用者の胴部に周回状に装着する胴回部と、着用者の後部側に装着する飾り部及び飾り部を巻き包む包帯部とを別体で構成するものであり、一本の帯だけで半幅帯より大きなお太鼓を裁断することなく一体的に作ることはできなかった。
【０００５】
本発明は従来の半幅帯又は中幅帯帯といった比較的帯幅の狭い帯を利用してその帯幅よりも大きなお太鼓が裁断することなく一本の帯から得られ、糸留めを解くことにより色々な形状のお太鼓を形成することが出来る迅速飾り帯を提供することにある。
【０００６】
また、本発明は帯のお太鼓相当部位を折り畳んで帯幅より大きな土台となるベース部を形成し、そのベース部の中央部分に形成される貫通穴に、帯のたれや手先を通すことによりベース部上にリボンや羽、花、人形などの立体的飾り部を糸留めして作り、イメージを膨らませて各種の立体的飾り部を作る楽しさが倍加する。
【０００７】
また、胴を作りながら補正用ポケットが得られ、そのポケットにタオルを入れることにより体の補正効果とお太鼓の形の補正効果を得ることができる。
【課題を解決するための手段】
【０００８】
本発明に係る迅速飾り帯は、一端部側に形成される手先を含む手先部分と、他端部に位置するたれと、該たれと隣接したベース部形成の長さを備えたベース部形成部と、残余の長さで形成される胴部とからなる半幅帯又は中幅帯であって、
前記ベース部形成部の帯部に、帯幅方向に対し４５度乃至その近傍角度に折り返して形成される折り返し部を一辺とし、他の三辺も該一辺と同様に帯幅方向に対し４５度乃至その近傍角度に折り返して形成される、帯幅の長さより大きな矩形ないし略矩形状のベース部を形成し、該ベース部はその中心に帯の折り返しによって形成される貫通した貫通穴を備え、かつ前記胴部は胴先で折り返して２枚重ねの二つ折り胴部を形成し、該二つ折り胴部の表側の一端部寄りに前記ベース部を形成するとともに、該二つ折り胴部は着用者の体に馴染むように、矩形ないし略矩形状ベース部の下側の辺に対し、傾斜して取り付け、さらに前記二つ折り胴部の裏面両端下部に体に巻いて留める紐を取付けるとともに前記矩形ないし略矩形状ベース部の裏側の両端上部に体に巻いて留める紐を取付けることを特徴とする。
【０００９】
請求項１において、ベース部の表側にたれを用いて花形状等の立体形状を形成して糸留めしたことを特徴とする請求項１記載の迅速飾り帯である。
【００１０】
請求項１又は２において、ベース部の表側にたれ及び手先を含む手先部分を用いて花形状等の立体形状を形成して糸留めしたことを特徴とする請求項１又は２記載の迅速飾り帯である。
【００１１】
前記二つ折り胴部のうち、お太鼓の構成要素であるベース部相当部位の二つ折り胴部に糸縫いによる補正ポケットを形成し、該補正ポケットは体の補正効果とお太鼓の形の補正効果を得るるために該補正ポケットにタオル等の充填物の装填が可能であることを特徴とする請求項１、２又は３記載の迅速飾り帯である。
【発明の効果】
【００１２】
本発明に係る半迅速飾り帯は、半幅帯又は中幅帯といった比較的帯幅の狭い帯を利用してその帯のお太鼓相当部位の帯上に、帯幅よりも大きなお太鼓をハサミ等により裁断することなく一本の帯からお太鼓が得られ、糸留めを解くことにより色々な形状のお太鼓を形成することが出来る。
【００１３】
二つ折り胴部の表側の一端部寄りに前記ベース部を形成するとともに、該二つ折り胴部は着用者の体に馴染むように、矩形ないし略矩形状ベース部の下側の辺に対し、傾斜して取り付け、さらに前記二つ折り胴部の裏面両端下部に体に巻いて留める紐を取付けるとともに前記ベース部の裏側の両端上部に体に巻いて留める紐を取付ける構造であるので、胴に巻く帯部の両端部同士は帯を結わかずに二つ折り胴部の裏面両端下部に設けた紐同士及びベース部裏側の両端上部の紐をそれぞれ結ぶだけでよく、着用者の体に馴染んだ状態で簡単に帯を胴に固定できる。
【００１４】
二つ折り胴部のうち、お太鼓の構成要素であるベース部相当部位の二つ折り胴部相当部位に糸縫いによる補正ポケットを形成し、その補正ポケットにタオル等の充填物を入れることにより体の補正効果とお太鼓の形の補正効果を得ることができる。
【発明を実施するための最良の形態】
【００１５】
以下、本発明の一実施例を図面に基いて説明する。
【実施例】
【００１６】
実施例１
お太鼓を構成する略矩形状のベース部中央に形成される貫通穴を使用して該ベース部上に飾りを形成する場合について、図面により説明する。
本発明で使用する帯は、例えば幅が１５ｃｍから１７ｃｍの半幅帯あるいは帯幅が前記半幅帯より広い幅の中幅帯が使用対象となり、従来の名古屋帯等の広幅の帯に比べて比較的帯幅が狭い帯が使用対象とされる。
本例では半幅帯を例に採り説明するが、これに限定されるものではない。
図１は半幅帯の裏側の展開図である。一端部の手先を含む手先部と、他端部のたれと、該たれと隣接する部位から手先部側に向けてお太鼓の構成要素であるベース部３を形成する長さのお太鼓形成部１と、残余の長さで形成される胴部２とからなる。
なお、以下、帯の表地を単に表といい、裏地を単に裏という。
【００１７】
図２は、お太鼓を構成するベース部３を作るための最初の折り線を示す説明図である。
お太鼓形成部２の所定位置、例えば、たれ端部上端から帯幅(１７ｃｍとした場合)の５乃至６倍の長さ(例えば８５ｃｍから１０２ｃｍ)位置から斜め右下４５度の角度に折り線を作る。図３は、折り線に沿ってたれ側の帯を折った状態を示し、たれ側は表が表われる。図３では、前記折り線の起点位置から胴部２の方向の斜め下、すなわち左下４５度の角度に折り線を入れる。
【００１８】
図４は、図３に示す折り線に沿って胴部２側を折り返した状態を示す図である。
ベース部３を構成する上の三角形は裏が表われ、その下の三角形相当部分は表が表われる。図４に示す折り線の左下の終点位置を起点として右下４５度の方向に折り線を入れる。
【００１９】
図５は、図４の折り線に沿って胴部２側を折り返した状態を示す図である。胴部２側を折り線に沿って折り返すときに、たれ側の上を跨ぐようにして折り返すと、胴部２側は裏が表われる。
【００２０】
図６はベース部３となる矩形の三辺が形成されており、残りの一辺を形成するために、たれ側に接する二辺と直角となる折り線を入れた状態を示す図である。
【００２１】
図７は帯幅の長さを二辺とする直角二等辺三角形の斜辺の長さを四辺とする矩形で構成されるベース部３を示す図である。すなわち、帯幅の長さ×√２の長さが一辺とし、他の三辺もその一辺の長さと同じである。本例では、ベース部３を構成する四つの三角形は表−表が対向し、裏−裏が対向する構成となっているが、この構成はこれに限定されるものではなく、他の組合わせであっても良い。例えば、ベース部３を対角線上に２等分して一方の三角形を表、他方の三角形を表とする場合、ベース部３を対角線上に２等分して一方の三角形を表、他方の三角形を裏とする場合及びベース部３を対角線上に２等分して一方の三角形を表、他方の三角形を更に対角線に対して直交するように２等分した三角形の一方を裏、他方を表とする場合等が考えられる。
【００２２】
図８は折り線を介して手先部側の帯を折り返す前の状態を示す図である。図９は手先部側の帯を折り返した状態を示す図である。手先部側の帯は裏から表に変わる。図１０はベース部３のみを倒して裏返した状態を示す図である。図１０−１は手先側の帯を折り線に沿って折り返すための折り線を示す状態図である。
【００２３】
図１１はたれ側の帯を図１０−１の折り線に沿ってベース部３上の一部に重なるようにして折り返した状態を示す図である。図１２は手先部側の帯が折り線を介してたれ側の帯と直交するようにベース部３上の一部に重ねて折り返すための折り線を示す図である。
【００２４】
図１３は折り線を介して手先部側の帯をベース部３上の一部に重なるようにして折り返した状態を示す図である。図１４はたれ側の帯を持ち上げる状態を示す図である。図１５はたれ側の帯を立ち上げる状態を示す図である。矩形のベース部３の裏側は対向する三角形同士が表−表、裏−裏の関係にあり、ベース部３の中心に表裏を貫通する貫通穴４が形成されている。図１６は貫通穴４を拡大した状態を示す図である。
【００２５】
図１７はたれの先端部近傍を紐等により縛り、たれの先端を貫通穴に入れる前の状態を示す図である。図１８はベース部３の裏側からたれの先端を貫通穴に入れてベース部３の表側に通した状態を示す図である。図１９はベース部３の表側から見たたれの状態を示す図である。図１９では、たれの根元が紐で縛られた状態を示している。図２０は図１９の貫通穴４の部分を拡大した状態を示す図である。
【００２６】
図２１はベース部３の裏側に手先部側の帯があり、表側に貫通穴４を介してたれが出ている状態を示す図である。
【００２７】
図２２は手先部側の帯を利用して二つ折り胴部を作る場合の説明図である。図２３は手先部側の帯の元を折り線に沿って折り返す前の状態を示す図である。図２４は手先部側の帯の元を折り線に沿って折り返し、該帯が矩形状のベース部３の裏面を横断するように形成した状態を示す図である。折り返される帯は矩形状のベース部３に対して傾斜するように折り返される。
【００２８】
図２５は二つ折り胴部５の胴先端を示す斜視図である。図２６は胴先端で二つに折り返した二つ折り胴部５を示し、該二つ折り胴部の片方の先端はベース部の延長上に手先が位置していることを示す図である。図２７は二つ折り胴部５を倒した状態を示す図である。
【００２９】
図２８は手先を貫通穴に入れる前の状態を示す図である。図２９は手先を丸めてベース部３の中央の貫通穴４に入れた状態を示す図である。図３０はベース部３の貫通穴４から突出させたたれ及び手先の根元をベース部３の表側で縛った状態を示す図である。
【００３０】
図３１は二つ折り胴部５を倒して該二つ折り胴部のベース部３の裏側に当たる部分を糸で固定させた状態を示す図である。図３２はベース部３の表側に突出したたれ及び手先を示す図である。
【００３１】
図３３は手先の幅方向片側に糸の縫い目を作り、その縫い目の糸を絞って花弁作る前の状態を示す図である。図３４は花弁を作るために糸を絞る状態を示す図である。図３５は花弁を作って糸留めし、かつたれ側に花芯を作るための糸の縫い目を形成した状態を示す図である。図３６は花芯に赤いボタンを着けた状態を示す図である。
【００３２】
図３７は二つ折り胴部５の表側の一端部寄りに前記ベース部３を糸留めにより形成し、該二つ折り胴部５が矩形状のベース部３の下辺に対し着用者の体に馴染むようにするために傾斜させて糸留めにより取り付け、そのベース部３上に立体的に形成した花などの立体的飾り部６を示す図である。
【００３３】
図３８はベース部３と、該ベース部３上に立体的に形成される花びらなどの立体的飾り部６とから構成されるお太鼓を示す説明図である。花びらなどの立体的飾り部６は形状維持のために必要箇所を、ベース部３２に糸留めする。
【００３４】
図３９はお太鼓の裏面となるベース部の裏側を示す図である。同図においては、二つ折り胴部５の一端部はベース部３の裏側の一辺である縦線に対して傾斜した状態で折り返される状態を示し、かつ該当箇所に糸留めによって補正ポケットが設けられている。また、二つ折り胴部５の裏面両端下部に体に巻いて留める紐を取付けるとともに矩形状ベース部３の裏側の両端上部に体に巻いて留める紐を取付けた状態を示す
【００３５】
実施例２
半幅帯の長さが短い場合の迅速飾り帯を示す。
図１から図１８までは実施例１と同様であるので説明を省略する。以後、図１８以降について図面に基いて説明する。
【００３６】
図４０は図１８の折り線に沿って手先を含む手先部の帯部分をベース部３の裏側に当てるようにして折り返した状態を示す説明図である。図３９に示す手先部の一端の折り返し部はベース部３の裏側の一辺である縦線に対して傾斜した状態で折り返される。斜めに折り返す理由は、図４１に示す胴先端で二つ折りに折り返される二つ折り胴部５が着用者の体に馴染むように巻くことができるようにするためである。
【００３７】
図４１は図４０に示す手先部の一端の折り返し部に合わせて手先の元を折り線に沿って内側に折り返す前の状態を示す説明図である。図４２は手先の元を折り線に沿って内側に折り返し、その折り返し箇所を糸で留めた状態を示し、かつお太鼓相当部位の二つ折り胴部５を糸で留めて補正ポケット形成した状態を示す図である。
【００３８】
図４３はたれ部分のベース部３の表面の作業を示す説明図である。たれ部分の根元からたれ先にかけて一定の間隔をおいて帯幅方向に糸縫いをし、各糸縫い部分を絞るようにして縮め、ベース部３上に立体的飾り部を作り、お太鼓の飾りとする。
【００３９】
図４４は二つ折り胴部５の表側の一端部寄りに形成したベース部３の中心から左右に広がるリボン形状をたれ部分で形成した場合を示す図である。
【００４０】
実施例３
ベース部３の裏側から左右にはみ出す立体的飾り部６を形成する場合の迅速飾り帯を示す。
図１から図１０までは実施例１と同様であるので説明を省略する。以後、図１０以降について図面に基いて説明する。
【００４１】
図４５はベース部３の裏側の中心部でたれ部分を紐で縛り、ベース部３の裏側から左右に広がる蝶の形状を、たれ部分で形成した立体的飾り部６がベース部３の両端からはみ出している状態を示す説明図である。
【００４２】
図４６はベース部３の裏側にたれ部分で形成した蝶の形状の立体的飾り部６を示す図である。図４７は手先を含む手先部分を折り線に沿って折り返す前の状態を示す図である。
【００４３】
図４８は二つ折り胴部５を形成する前の状態を示す図である。二つ折り胴部５の一端はベース部３の裏側にたれ部分で形成した蝶の形状の立体的飾り部６の一部を覆うようにして糸留めさされる状態を示す図である。図４９は二つ折り胴部５を形成する状態を示す図である。
【００４４】
図５０に示す二つ折り胴部５の一端部はベース部３の裏側の一辺である縦線に対して傾斜した状態で折り返される状態を示し、かつ該当箇所に糸留めによって補正ポケットが設けられている状態を示す図である。
【００４５】
図５１はベース部３の表を示し、対角線で囲まれた4つの三角形は裏−裏、表−表が対向している状態を示す図である。図５２はベース部３の中心部が開かないようにするための糸留めを示す図である。
【００４６】
図５３は二つ折り胴部５の裏面両端下部に体に巻いて留める紐を取付けるとともに矩形状ベース部３の裏側の両端上部に体に巻いて留める紐を取付けた状態を示す図である。図５４は図５３の斜視図である。
【図面の簡単な説明】
【００４７】
【図１】半幅帯の裏側の展開図である。
【図２】お太鼓を構成するベース部を作るための最初の折り線を示す説明図である。
【図３】折り線に沿ってたれ側の帯を折った状態を示す説明図である。
【図４】図３に示す折り線に沿って胴部２側を折り返した状態を示す図である。
【図５】図４の折り線に沿って胴部２側を折り返した状態を示す図である。
【図６】ベース部３となる矩形の三辺が形成されており、残りの一辺を形成するために、たれ側に接する二辺と直角となる折り線を入れた状態を示す図である。
【図７】帯幅の長さを二辺とする直角二等辺三角形の斜辺の長さを四辺とする矩形で構成されるベース部を示す図である。
【図８】折り線を介して手先部側の帯を折り返す前の状態を示す図である。手先部側の帯は裏から表に変わる。
【図９】手先部側の帯を折り返した状態を示す図である。
【図１０】ベース部３のみを倒して裏返した状態を示す図である。
【図１０−１】手先側の帯を折り線に沿って折り返すための折り線を示す状態図である。
【図１１】たれ側の帯を図１０−１の折り線に沿ってベース部上の一部に重なるようにして折り返した状態を示す図である。
【図１２】手先部側の帯が折り線を介してたれ側の帯と直交するようにベース部上の一部に重ねて折り返すための折り線を示す図である。
【図１３】折り線を介して手先部側の帯をベース部上の一部に重なるようにして折り返した状態を示す図である。
【図１４】たれ側の帯を持ち上げる状態を示す図である。
【図１５】たれ側の帯を立ち上げる状態を示す図である。
【図１６】貫通穴を拡大した状態を示す図である。
【図１７】たれの先端部近傍を紐等により縛り、たれの先端を貫通穴に入れる前の状態を示す図である。
【図１８】ベース部の裏側からたれの先端を貫通穴に入れてベース部の表側に通した状態を示す図である。
【図１９】ベース部の表側から見たたれの状態を示す図である。
【図２０】図１９の貫通穴の部分を拡大した状態を示す図である。
【図２１】ベース部の裏側に手先部側の帯があり、表側に貫通穴を介してたれが出ている状態を示す図である。
【図２２】手先部側の帯を利用して二つ折り胴部を作る場合の説明図である。
【図２３】手先部側の帯の元を折り線に沿って折り返す前の状態を示す図である。
【図２４】手先部側の帯の元を折り線に沿って折り返し、該帯が矩形状のベース部の裏面を横断するように形成した状態を示す図である。
【図２５】二つ折り胴部の胴先端を示す斜視図である。
【図２６】胴先端で二つに折り返した二つ折り胴部を示し、該二つ折り胴部の片方の先端はベース部の延長上に手先が位置していることを示す図である。
【図２７】二つ折り胴部５を倒した状態を示す図である。
【図２８】手先を貫通穴に入れる前の状態を示す図である。
【図２９】手先を丸めてベース部の中央の貫通穴に入れた状態を示す図である。
【図３０】ベース部の貫通穴から突出させたたれ及び手先の根元をベース部の表側で縛った状態を示す図である。
【図３１】二つ折り胴部を倒して該二つ折り胴部のベース部３の裏側に当たる部分を糸で固定させた状態を示す図である。
【図３２】ベース部の表側に突出したたれ及び手先を示す図である。
【図３３】手先の幅方向片側に糸の縫い目を作り、その縫い目の糸を絞って花弁作る前の状態を示す図である。
【図３４】花弁を作るために糸を絞る状態を示す図である。
【図３５】花弁を作って糸留めし、かつたれ側に花芯を作るための糸の縫い目を形成した状態を示す図である。
【図３６】花芯に赤いボタンを着けた状態を示す図である。
【図３７】二つ折り胴部の表側の一端部寄りにベース部を糸留めにより形成し、二つ折り胴部が矩形状のベース部の下辺に対し着用者の体に馴染むようにするために傾斜させて糸留めにより取り付け、そのベース部上に立体的に形成した花などの立体的飾り部を示す図である。
【図３８】ベース部と、該ベース部上に立体的に形成される花びらなどの立体的飾り部とから構成されるお太鼓を示す側面図である。
【図３９】お太鼓の裏面となるベース部の裏側を示す図である。
【図４０】図１８の折り線に沿って手先を含む手先部の帯部分をベース部の裏側に当てるようにして折り返した状態を示す説明図である。
【図４１】図４０に示す手先部の一端の折り返し部に合わせて手先の元を折り線に沿って内側に折り返す前の状態を示す説明図である。
【図４２】手先の元を折り線に沿って内側に折り返し、その折り返し箇所を糸で留めた状態を示し、かつお太鼓相当部位の二つ折り胴部を糸で留めて補正ポケット形成した状態を示す図である。
【図４３】たれ部分のベース部表面の作業を示す説明図である。
【図４４】二つ折り胴部の表側の一端部寄りに形成したベース部の中心から左右に広がるリボン形状をたれ部分で形成した場合を示す図である。
【図４５】ベース部の裏側の中心部でたれ部分を紐で縛り、ベース部の裏側から左右に広がる蝶の形状を、たれ部分で形成した立体的飾り部がベース部の両端からはみ出している状態を示す説明図である。
【図４６】ベース部の裏側にたれ部分で形成した蝶の形状の立体的飾り部を示す図である。
【図４７】手先を含む手先部分を折り線に沿って折り返す前の状態を示す図である。
【図４８】二つ折り胴部を形成する前の状態を示す図である。
【図４９】二つ折り胴部を形成する状態を示す図である。
【図５０】二つ折り胴部の一端の折り返し部はベース部の裏側の一辺である縦線に対して傾斜した状態で折り返される状態を示し、かつ該当箇所に糸留めによって補正ポケットが設けられている状態を示す図である。
【図５１】ベース部の表を示し、対角線で囲まれた4つの三角形は裏−裏、表−表が対向している状態を示す図である。
【図５２】ベース部の中心部が開かないようにするための糸留めを示す図である。
【図５３】二つ折り胴部の裏面両端下部に体に巻いて留める紐を取付けるとともに矩形状ベース部の裏側の両端上部に体に巻いて留める紐を取付けた状態を示す図である。
【図５４】図５３の斜視図である。
【符号の説明】
【００４８】
１  お太鼓形成部
２  胴部
３  ベース部
４  貫通穴
５  二つ折り胴部
６  立体的飾り部
【図１】
2008174883.tif 000003
【図２】
2008174883.tif 000004
【図３】
2008174883.tif 000005
【図４】
2008174883.tif 000006
【図５】
2008174883.tif 000007
【図６】
2008174883.tif 000008
【図７】
2008174883.tif 000009
【図８】
2008174883.tif 000010
【図９】
2008174883.tif 000011
【図１０】
2008174883.tif 000012
【図１０−１】
2008174883.tif 000013
【図１１】
2008174883.tif 000014
【図１２】
2008174883.tif 000015
【図１３】
2008174883.tif 000016
【図１４】
2008174883.tif 000017
【図１５】
2008174883.tif 000018
【図１６】
2008174883.tif 000019
【図１７】
2008174883.tif 000020
【図１８】
2008174883.tif 000021
【図１９】
2008174883.tif 000022
【図２０】
2008174883.tif 000023
【図２１】
2008174883.tif 000024
【図２２】
2008174883.tif 000025
【図２３】
2008174883.tif 000026
【図２４】
2008174883.tif 000027
【図２５】
2008174883.tif 000028
【図２６】
2008174883.tif 000029
【図２７】
2008174883.tif 000030
【図２８】
2008174883.tif 000031
【図２９】
2008174883.tif 000032
【図３０】
2008174883.tif 000033
【図３１】
2008174883.tif 000034
【図３２】
2008174883.tif 000035
【図３３】
2008174883.tif 000036
【図３４】
2008174883.tif 000037
【図３５】
2008174883.tif 000038
【図３６】
2008174883.tif 000039
【図３７】
2008174883.tif 000040
【図３８】
2008174883.tif 000041
【図３９】
2008174883.tif 000042
【図４０】
2008174883.tif 000043
【図４１】
2008174883.tif 000044
【図４２】
2008174883.tif 000045
【図４３】
2008174883.tif 000046
【図４４】
2008174883.tif 000047
【図４５】
2008174883.tif 000048
【図４６】
2008174883.tif 000049
【図４７】
2008174883.tif 000050
【図４８】
2008174883.tif 000051
【図４９】
2008174883.tif 000052
【図５０】
2008174883.tif 000053
【図５１】
2008174883.tif 000054
【図５２】
2008174883.tif 000055
【図５３】
2008174883.tif 000056
【図５４】
2008174883.tif 000057